(57)【要約】【課題】基礎から床板までの高さが低い場合にも適用できるコスト安な床板支持具を提供する。【解決手段】建屋の基礎（設置面）Ｃと床板２との間に立設状態に配設され、基礎Ｃに着座する座板３ａ付きの束本体（例えば、パイプ材からなる）３と、下部が束本体３の上部に形成した内螺子３１に螺合するボルト部材４と、ボルト部材４の上端に回動自在かつ固定可能に配設されて床板２を支持する床支持板５と、備え、ボルト部材４を一方向（順方向）に回動させると床支持板５が上昇し、操作体４を他方向（逆方向）に回動させると、床支持板５が降下する。【選択図】  図１
2005226244.tif 000002
【特許請求の範囲】
【請求項１】
設置面に着座して上下方向に配設される座板付きの束本体と、
下部が前記束本体の上部に形成した内螺子に螺合するボルト部材と、
前記ボルト部材の上端に回動自在かつ固定可能に配設されて床板を支持する床支持板と、を備え、
前記ボルト部材を一方向に回動させると前記床支持板が上昇し、他方向に回動させると前記床支持板が降下することを特徴とする床板支持具。
【請求項２】
前記床支持板は、前記ボルト部材のボルトヘッドと、該ボルト部材に螺合締結されるナット部材と、の間に間装されることを特徴とする請求項１に記載の床板支持具。
【請求項３】
前記床支持板は、前記ボルト部材の上部に配設した受け部材に回動自在に支持され、かつ、ボルトとナットの締結により前記ボルト部材に対して固定可能であることを特徴とする請求項１に記載の床板支持具。
【請求項４】
前記束本体の上端に、前記ボルト部材に螺合して前記ボルト部材を前記束本体に固定するためのロックナットを配設したことを特徴とする請求項１乃至３の何れかに記載の床板支持具。
【請求項５】
設置面に着座して上下方向に配設される座板付きの束本体と、
前記束本体の上部に回動自在かつ軸方向に変位不能に配設されたナット部材に螺合するボルト部材と、
前記ボルト部材の上端に固定されて床板を支持する床支持板と、を備え、
前記ボルト部材を床支持板と共に一方向に回動させると前記床支持板が上昇し、他方向に回動させると前記床支持板が降下することを特徴とする床板支持具。
【請求項６】
前記ボルト部材の上部に、操作工具で操作可能な操作部を設けたことを特徴とする請求項１乃至５の何れかに記載の床板支持具。
【請求項７】
前記ナット部材の上に、前記ボルト部材に螺合して前記ボルト部材を前記束本体に固定するためのロックナットを配設したことを特徴とする請求項５又は６に記載の床板支持具。
【請求項８】
設置面に着座して上下方向に配設される座板付きの束本体と、
前記束本体の上部に形成した内螺子に螺合する外側螺子、及び、該外側螺子とは逆向きに形成された内側螺子、を有する筒状ネジ部材と、
下部が前記筒状ネジ部材の内側螺子に螺合するボルト部材と、
前記ボルト部材の上端に固定されて床板を支持する床支持板と、を備え、
前記筒状ネジ部材を一方向に回動させると前記床支持板が上昇し、他方向に回動させると前記床支持板が降下することを特徴とする床板支持具。
【請求項９】
前記内側螺子のピッチは、前記外側螺子のピッチよりも小に設定されることを特徴とする請求項８に記載の床板支持具。
【請求項１０】
前記束本体の上端に、前記外側螺子に螺合して前記筒状ネジ部材を前記束本体に固定するためのロックナットを配設したことを特徴とする請求項８又は９に記載の床板支持具。
【請求項１１】
前記筒状ネジ部材の上端に、前記ボルト部材に螺合して前記ボルト部材を前記筒状ネジ部材に固定するためのロックナットを配設したことを特徴とする請求項８乃至１０の何れかに記載の床板支持具。
【請求項１２】
設置面に着座して上下方向に配設される座板付きの束本体と、
前記束本体の上端に配設した下部ロックナットに螺合する外側螺子、及び、該外側螺子とは逆向きに形成された内側螺子、を有する筒状ネジ部材と、
下部が前記筒状ネジ部材の内側螺子に螺合するボルト部材と、
前記ボルト部材の上端に固定されて床板を支持する床支持板と、を備え、
前記筒状ネジ部材を一方向に回動させると前記床支持板が上昇し、他方向に回動させると前記床支持板が降下し、かつ、前記下部ロックナットを締結することにより、前記ボルト部材が前記束本体に対して固定されることを特徴とする床板支持具。
【請求項１３】
前記筒状ネジ部材の上部に、操作工具で操作可能な操作部を設けたことを特徴とする請求項８乃至１２の何れかに記載の床板支持具。
【請求項１４】
前記筒状ネジ部材の上端に、前記ボルト部材に螺合して前記ボルト部材を前記筒状ネジ部材に固定するための上部ロックナットを配設したことを特徴とする請求項１２又は１３に記載の床板支持具。
【請求項１５】
設置面に着座して上下方向に配設される座板付きの束本体と、
下部が前記束本体の上部に形成した内螺子に螺合するボルト部材と、
前記ボルト部材の上端に回動自在かつ固定可能に配設されて床板を支持する床支持板と、を備え、
前記ボルト部材を一方向に回動させると前記床支持板が上昇し、前記ボルト部材を他方向に回動させると前記床支持板が降下することを特徴とする床板支持具。
【請求項１６】
前記床支持板は、前記ボルト部材の上部に螺合する一対のナット部材の間に固定可能に間装されることを特徴とする請求項１５に記載の床板支持具。
【発明の詳細な説明】
【技術分野】
【０００１】
本発明は、建屋の床板を支持するための床板支持具に関する。
【背景技術】
【０００２】
従来、建屋の床下に配設される横梁（大引き）の中間部は、コンクリート基礎に立設した鋼製束によって支持されていた。その鋼製束は、例えば、図１３に示すように、コンクリート基礎Ｃに設置されるベース板５１と、このベース板５１に立設される下部スクリューロッド５２と、その上部に同心状に螺合される筒状のターンバックル５３と、その上部に螺合される上部スクリューロッド５４と、その上部に取り付けられて大引き５６を支持する頂部板５５と、を備えている（例えば、特許文献１参照）。
【０００３】
上述の下部スクリューロッド５２と、上部スクリューロッド５４とは、互いに逆向きに螺子が穿設されているため、ターンバックル５３を回動させることによって、両スクリューロッド５２，５４が拡縮動作し、これによって、大引き５６の高さ位置を調整することができる。即ち、ターンバックル５３は、通常、床下で操作され、順方向に回動させると、スクリューロッド５２，５４が互いに離間するように拡長して大引き５６を持ち上げ、逆方向に回動させると、両スクリューロッド５２，５４が互いに接近するように縮長して大引き５６の高さを低くすることができる。
【特許文献１】特開２００３−２０７８０号公報
【発明の開示】
【発明が解決しようとする課題】
【０００４】
ところで、最近では、建築構造の簡素化や低コスト化等の要請から、大引きを用いることなく、床板を鋼製束（床板支持具）で直接支持するような床構造が望まれるようになった。特に、マンションの床構造等では、このような要請が顕著となっている。
【０００５】
しかし、マンション等では、床板とコンクリートとの間の間隔が狭い（床板の高さが低い）ため、図１３に示すような従来のターンバックル式の鋼製束は全長が大きすぎてそのまま適用することはできない。また、ターンバックル式の鋼製束は上下に一対の逆螺子部を有して構成が複雑で高価であった。
【０００６】
本発明は、このような実情に鑑みてなされ、基礎から床板までの高さが低い場合にも適用できるコスト安な床板支持具を提供することを目的とする。
【課題を解決するための手段】
【０００７】
（１）本発明に係る床支持板は、設置面に着座して上下方向に配設される座板付きの束本体と、下部が前記束本体の上部に形成した内螺子に螺合するボルト部材と、前記ボルト部材に被嵌し、かつ、該ボルト部材のボルトヘッドと、該ボルト部材の上端に回動自在かつ固定可能に配設されて床板を支持する床支持板と、を備え、
前記ボルト部材を一方向に回動させると前記床支持板が上昇し、他方向に回動させると前記床支持板が降下することを特徴とする。
【０００８】
このような構成により、束本体の上部に螺合しているボルト部材を、回動操作することにより床支持板を上下に変位させて、床板の高さを調整することができる。なお、高さ調整が終了した時点で床支持板を固定するのが好ましい。
【０００９】
その束本体は、ボルト部材を昇降させるための内螺子を上部に形成しているので、床板支持具の全長を短く設定することができる。従って、設置面（基礎）と床板との間のスペースを必要最小限度の高さに設定して、建屋の高さを抑えることができる。また、構成が簡易であり、安価に提供することができる。
【００１０】
（２）前記（１）項に記載の床板支持具では、前記床支持板を、前記ボルト部材のボルトヘッドと、該ボルト部材に螺合締結されるナット部材と、の間に間装するのが好ましい。
【００１１】
（３）前記（１）項に記載の床板支持具では、前記床支持板は、前記ボルト部材の上部に配設した受け部材に回動自在に支持され、かつ、ボルトとナットの締結により前記ボルト部材に対して固定可能に構成するのが好ましい。
【００１２】
（４）前記（１）項〜（３）項の何れかに記載の床板支持具では、前記束本体の上端に、前記ボルト部材に螺合して前記ボルト部材を前記束本体に固定するためのロックナットを配設するのが好ましい。
【００１３】
（５）本発明のさらに別の床板支持具は、設置面に着座して上下方向に配設される座板付きの束本体と、前記束本体の上部に回動自在かつ軸方向に変位不能に配設されたナット部材に螺合するボルト部材と、前記ボルト部材の上端に固定されて床板を支持する床支持板と、を備え、
前記ボルト部材を床支持板と共に一方向に回動させると前記床支持板が上昇し、他方向に回動させると前記床支持板が降下することを特徴とする。
【００１４】
このような構成により、束本体の上部に配設されたナット部材に螺合しているボルト部材を、（床支持板と共に、）操作することにより床支持板を上下に変位させて、床板の高さを調整することができる。
【００１５】
その束本体は、ボルト部材を昇降させるためのナット部材を上部に配設しているので、床板支持具の全長を短く設定することができる。従って、設置面（基礎）と床板との間のスペースを必要最小限度の高さに設定して、建屋の高さを抑えることができる。また、構成が簡易であり、安価に提供することができる。
【００１６】
（６）前記（１）項〜（５）項の何れかに記載の床板支持具では、前記ボルト部材の上部に、操作工具で操作可能な操作部を設けるのが好ましい。
【００１７】
（７）前記（５）項又は（６）項に記載の床板支持具では、前記ナット部材の上に、前記ボルト部材に螺合して前記ボルト部材を前記束本体に固定するためのロックナットを配設するのが好ましい。
【００１８】
（８）本発明に係る異なる床板支持具は、設置面に着座して上下方向に配設される座板付きの束本体と、前記束本体の上部に形成した内螺子に螺合する外側螺子、及び、該外側螺子とは逆向きに形成された内側螺子、を有する筒状ネジ部材と、下部が前記筒状ネジ部材の内側螺子に螺合するボルト部材と、前記ボルト部材の上端に固定されて床板を支持する床支持板と、を備え、
前記筒状ネジ部材を一方向に回動させると前記床支持板が上昇し、他方向に回動させると前記床支持板が降下することを特徴とする。
【００１９】
このような構成により、束本体の上部に螺合している筒状ネジ部材を、（床支持板と共に、）操作することにより、ボルト部材を介して床支持板を上下に変位させ、床板の高さを調整することができる。
【００２０】
その束本体は、ボルト部材を昇降させるための筒状ネジ部材を上部に配設しているので、床板支持具の全長を短く設定することができる。従って、設置面（基礎）と床板との間のスペースを必要最小限度の高さに設定して、建屋の高さを抑えることができる。また、構成が簡易であり、安価に提供することができる。
【００２１】
（９）前記（８）項に記載の床板支持具では、前記内側螺子のピッチを、前記外側螺子のピッチよりも小に設定するのが好ましい。
【００２２】
（１０）前記（８）項又は（９）項に記載の床板支持具では、前記束本体の上端に、前記外側螺子に螺合して前記筒状ネジ部材を前記束本体に固定するためのロックナットを配設するのが好ましい。
【００２３】
（１１）前記（８）項〜（１０）項の何れかに記載の床板支持具では、前記筒状ネジ部材の上端に、前記ボルト部材に螺合して前記ボルト部材を前記筒状ネジ部材に固定するためのロックナットを配設するのが好ましい。
【００２４】
（１２）本発明に係るさらに異なる床板支持具は、設置面に着座して上下方向に配設される座板付きの束本体と、前記束本体の上端に配設した下部ロックナットに螺合する外側螺子、及び、該外側螺子とは逆向きに形成された内側螺子、を有する筒状ネジ部材と、下部が前記筒状ネジ部材の内側螺子に螺合するボルト部材と、前記ボルト部材の上端に固定されて床板を支持する床支持板と、を備え、
前記筒状ネジ部材を一方向に回動させると前記床支持板が上昇し、他方向に回動させると前記床支持板が降下し、かつ、前記下部ロックナットを締結することにより、前記ボルト部材が前記束本体に対して固定されることを特徴とする。
【００２５】
このような構成により、束本体の上部に螺合している筒状ネジ部材を、（床支持板と共に、）操作することにより、ボルト部材を介して床支持板を上下に変位させ、床板の高さを調整することができる。
【００２６】
その束本体は、ボルト部材を昇降させるための筒状ネジ部材を上部に配設しているので、床板支持具の全長を短く設定することができる。従って、設置面（基礎）と床板との間のスペースを必要最小限度の高さに設定して、建屋の高さを抑えることができる。また、構成が簡易であり、安価に提供することができる。
【００２７】
（１３）前記（８）項〜（１２）項の何れかに記載の床板支持具では、前記筒状ネジ部材の上部に、操作工具で操作可能な操作部を設けるのが好ましい。
【００２８】
（１４）前記（１２）又は（１３）項に記載の床板支持具では、前記筒状ネジ部材の上端に、前記ボルト部材に螺合して前記ボルト部材を前記筒状ネジ部材に固定するための上部ロックナットを配設するのが好ましい。
【００２９】
（１５）本発明に係る他の床板支持具は、設置面に着座して上下方向に配設される座板付きの束本体と、下部が前記束本体の上部に形成した内螺子に螺合するボルト部材と、前記ボルト部材の上端に回動自在かつ固定可能に配設されて床板を支持する床支持板と、を備え、前記ボルト部材を一方向に回動させると前記床支持板が上昇し、前記ボルト部材を他方向に回動させると前記床支持板が降下することを特徴とする。
【００３０】
このような構成により、束本体の上部に螺合しているボルト部材を、（床支持板と共に、）操作することにより床支持板を上下に変位させて、床板の高さを調整することができる。
【００３１】
その束本体は、ボルト部材を昇降させるための内螺子が上部に形成されているので、床板支持具の全長を短く設定することができる。従って、設置面（基礎）と床板との間のスペースを必要最小限度の高さに設定して、建屋の高さを抑えることができる。また、構成が簡易であり、安価に提供することができる。
【００３２】
（１６）前記（１５）項に記載の床板支持具では、前記床支持板は、前記ボルト部材の上部に螺合する一対のナット部材の間に固定可能に間装されるのが好ましい。
【発明の効果】
【００３３】
本発明に係る床支持板は、束本体の上部に螺合しているボルト部材を一方向に回動させると床支持板が上昇し、他方向に回動させると床支持板が降下するので、ボルト部材を操作することにより床板の高さを調整することができる。
【００３４】
その束本体は、ボルト部材を昇降させるための内螺子を上部に形成しているので、床板支持具の全長を短く設定することができる。従って、設置面（基礎）と床板との間のスペースを必要最小限度の高さに設定して、建屋の高さを抑えることができる。また、構成が簡易であり、安価に提供することができる。
【００３５】
本発明の別の床板支持具は、ボルト部材を床支持板と共に一方向に回動させると床支持板が上昇し、他方向に回動させると床支持板が降下するので、ボルト部材を（床支持板と共に、）操作することにより、床板の高さを調整することができる。
【００３６】
その束本体は、ボルト部材を昇降させるためのナット部材を上部に配設しているので、床板支持具の全長を短く設定することができる。従って、設置面（基礎）と床板との間のスペースを必要最小限度の高さに設定して、建屋の高さを抑えることができる。また、構成が簡易であり、安価に提供することができる。
【００３７】
本発明に係る異なる床板支持具は、束本体の上部に螺合している筒状ネジ部材を一方向に回動させると前記床支持板が上昇し、他方向に回動させると前記床支持板が降下するので、筒状ネジ部材を操作することにより、ボルト部材を介して床支持板を上下に変位させ、床板の高さを調整することができる。
【００３８】
その束本体は、ボルト部材を昇降させるための筒状ネジ部材を上部に配設しているので、床板支持具の全長を短く設定することができる。従って、設置面（基礎）と床板との間のスペースを必要最小限度の高さに設定して、建屋の高さを抑えることができる。また、構成が簡易であり、安価に提供することができる。
【００３９】
本発明に係るさらに異なる床板支持具は、束本体の上端に配設した下部ロックナットに螺合している筒状ネジ部材を一方向に回動させると床支持板が上昇し、他方向に回動させると床支持板が降下するので、筒状ネジ部材を、（床支持板と共に、）操作することにより、ボルト部材を介して床支持板を上下に変位させ、床板の高さを調整することができる。また、下部ロックナットを締結することにより、ボルト部材が束本体に対して固定することができる。
【００４０】
その束本体は、ボルト部材を昇降させるための筒状ネジ部材を上部に配設しているので、床板支持具の全長を短く設定することができる。従って、設置面（基礎）と床板との間のスペースを必要最小限度の高さに設定して、建屋の高さを抑えることができる。また、構成が簡易であり、安価に提供することができる。
【００４１】
本発明に係る他の床板支持具は、束本体の上部に螺合しているボルト部材を一方向に回動させると前記床支持板が上昇し、前記操作体を他方向に回動させると前記床支持板が降下するので、そのボルト部材を、（床支持板と共に、）操作することにより床支持板を上下に変位させて、床板の高さを調整することができる。
【００４２】
その束本体は、ボルト部材を昇降させるためのナット部材を上部に配設しているので、床板支持具の全長を短く設定することができる。従って、設置面（基礎）と床板との間のスペースを必要最小限度の高さに設定して、建屋の高さを抑えることができる。また、構成が簡易であり、安価に提供することができる。
【発明を実施するための最良の形態】
【００４３】
以下に、本発明の最良の実施の形態に係るパイプハンガーについて図面を参照しつつ詳細に説明する。
【００４４】
〔実施の形態１〕
図１（ａ）は床板支持具１Ａの正面図、図１（ｂ）は平面図、図１（ｃ）は底面図、図１（ｄ）は縦断面図、図２は設置状態の説明図である。これらの図に示すように、この床板支持具１Ａは、建屋の基礎（設置面）Ｃと床板２との間に立設状態に配設され、基礎Ｃに着座する座板３ａ付きの束本体（例えば、パイプ材からなる）３と、下部が束本体３の上部に形成した内螺子３１に螺合するボルト部材４と、ボルト部材４の上端に回動自在かつ固定可能に配設されて床板２を支持する床支持板５と、備え、ボルト部材４を一方向（順方向）に回動させると床支持板５が上昇し、操作体４を他方向（逆方向）に回動させると、床支持板５が降下するように構成されている。
【００４５】
上述の床板２は、表面のパネル本体２１と下地板２２からなり、床支持板５は下地板２２の下部に配設された支持板２３を受載支持する（下地板２２を床支持板５で直接支持してもよい）。なお、下地板２２の下部には、支持板２３を除いた部分に断熱材２４が貼り付けられている。
【００４６】
上述のボルト部材４の上部には、操作工具（例えば、レンチ，スパナ等、図示省略）を係止させるための係止部（本発明の操作部）４２が設けられている。また、床支持板５は、ボルト部材４のボルトヘッド４１と、該ボルト部材４に螺合するナット部材６と、の間に間装されている。
【００４７】
一方、束本体３の上端には、ボルト部材４に螺合して、そのボルト部材４を束本体３に対してロック状態に固定するためのロックナット７が配設されており、そのロックナット７と束本体３の上端との間には、スプリングワッシャ８が介装されている。
【００４８】
以上のように構成される床板支持具１Ａでは、束本体３の上部に螺合しているボルト部材４の係止部４２を操作工具によって回動操作することで（又はボルト部材４を直接手で回動させてもよく、従って、係止部４２は省略してもよい）、そのボルト部材４を回動操作することで、床板２の高さを作業性よく調整することができる。なお、高さの調整が終了した時点で、ロックナット７を締結して、ボルト部材４を束本体３に固定するのが好ましい。
【００４９】
その束本体３は、ボルト部材４を昇降させるための内螺子３１を上部に形成しているので、床板支持具１Ａの全長を短く設定することができる。例えば、その全長を１００ｍｍ程度に設定して、マンションの床板等を支持することもできる。従って、設置面（基礎）Ｃと床板２との間のスペースを必要最小限度の高さに設定して、建屋の高さを抑えることができる。また、構成が簡易であり、床板支持具１Ａを安価に提供することができる。
【００５０】
なお、図示のように、床板２と床板２の接合部（例えば、四隅を突き合わせた接合部、又は、二枚合わせの接合部等）を床板支持具１Ａで支持させる場合には、その接合部を床支持板５に載せた一枚の支持板２３で受けるようにし、係止部４２を、床上から操作工具で操作することもできる。
【００５１】
〔実施の形態２〕
図３（ａ）は床板支持具１Ｂの正面図、図３（ｂ）は平面図、図３（ｃ）は底面図、図３（ｄ）は設置状態の説明図である。これらの図に示すように、この床板支持具１Ｂでは、床支持板５は、ボルト部材４の上部に固定状態に配設した受け部材９に回動自在に支持され、かつ、ボルトとナットの締結により、ボルト部材４に対して固定可能に構成されている。なお、前実施の形態１と同一もしくは同等部材については同一符号を付し、その説明を省略する。この点については、以下の各実施の形態においても同様である。
【００５２】
そのボルトとナットの構成は、例えば、図４（ａ）又は図４（ｂ）に示される。図４（ａ）の場合、ボルト部材４の上部に固設した受け部材９に形成した内螺子（ナット）に螺合するボルト１０でワッシャ１１を介してボルト孔つきの床支持板５をボルト部材４に対して固定する。また、図４（ｂ）の場合、受け部材９に植設したボルト１２に螺合するナット１３の締結によりボルト孔つきの床支持板５をボルト部材４に対して固定する。なお、支持板２３の中央部２３ａは予め図示のようにくり抜いておき、床支持板５を固定した後で、そのくり抜き部分を埋めるようにすればよい。
【００５３】
〔実施の形態３〕
図５（ａ）は床板支持具１Ｃの正面図、図５（ｂ）は平面図、図５（ｃ）は底面図、図５（ｄ）は縦断面図である。図６は床板支持具１Ｃの設置状態の説明図である。これらの図に示すように、この床板支持具１Ｃでは、束本体３の上部に回動自在かつ軸方向に変位不能に配設されたナット部材１５にボルト部材４を螺合させ、そのボルト部材４の上端に床支持板５を固定しており、ボルト部材４を床支持板５と共に一方向に回動させると床支持板５が上昇し、他方向に回動させると床支持板５が降下するように構成されている。
【００５４】
このような構成により、束本体３の上部に配設されたナット部材１５に螺合しているボルト部材４を、（床支持板５と共に、）回動操作することにより、床板２の高さを調整することができる。なお、高さの調整が終了した時点で、ナット部材１５に配設してあるロックナット７を締結して、ボルト部材４を束本体３に固定するのが好ましい。
【００５５】
この床板支持具１Ｃは、ボルト部材４を昇降させるためのナット部材１５を束本体３の上部に配設しているので、束本体３を短く形成することができ、床板支持具１Ｃの全長を短く設定することができる。従って、設置面（基礎）Ｃと床板２との間のスペースを必要最小限度の高さに設定して、建屋の高さを抑えることができる。また、構成が簡易であり、安価に提供することができる。なお、図示は省略するが、ボルト部材４の上部に、操作工具で操作可能な操作部（図１乃至図３の符号４２参照）を設けてもよい。
【００５６】
〔実施の形態４〕
図７（ａ）は床板支持具１Ｄの正面図、図７（ｂ）は平面図、図７（ｃ）は底面図、図７（ｄ）は縦断面図、図７（ｅ）は筒状ネジ部材の側面図、図８は床板支持具１Ｄの設置状態の説明図である。これらの図に示すように、この床板支持具１Ｄは、束本体３の上部に形成した内螺子３１に螺合する外側螺子１６１、及び、外側螺子１６１とは逆向きに形成された内側螺子１６２、を有する筒状ネジ部材１６と、下部が筒状ネジ部材１６の内側螺子１６２に螺合するボルト部材４と、を備え、床支持板５は、ボルト部材４の上端に固定されており、その筒状ネジ部材１６を一方向に回動させると床支持板５が上昇し、他方向に回動させると床支持板５が降下するように構成されている。
【００５７】
その筒状ネジ部材１６の上部には、操作工具で操作するための操作部１６ａを設けておくことが好ましい。また、筒状ネジ部材１６の内側螺子１６２のピッチを、外側螺子１６１のピッチよりも小に設定して、筒状ネジ部材１６に対する床支持板５の昇降速度を、束本体３に対する筒状ネジ部材１６の昇降速度よりも遅く設定して床板２の高さ調整を精度よく行えるようにするのが好ましい（なお、同一ピッチであってもよい）。
【００５８】
また、その束本体３と筒状ネジ部材１６上端には、外側螺子１６１に螺合して筒状ネジ部材１６を束本体３に固定するためのロックナット７と、ボルト部材４に螺合してそのボルト部材４を筒状ネジ部材１６に固定するためのロックナット１７と、をそれぞれスプリングワッシャ８，１８を介して配設するのが好ましい。
【００５９】
このような構成により、束本体３の上部に螺合している筒状ネジ部材１６を、（操作工具または手で把持して）回動操作することにより、ボルト部材４に固定されている床支持板５を上下に変位させ、床板２の高さを調整することができる。高さの調整が終了した時点で、ロックナット７，１７を締結して、ボルト部材４，筒状ネジ部材１６及び束本体３を固定すればよい。
【００６０】
その束本体３は、ボルト部材４を昇降させるための筒状ネジ部材１６を上部に螺合しているので、床板支持具１Ｄの全長を短く設定することができる。従って、設置面（基礎）と床板との間のスペースを必要最小限度の高さに設定して、建屋の高さを抑えることができる。また、構成が簡易であり、安価に提供することができる。
【００６１】
〔実施の形態５〕
図９（ａ）は床板支持具１Ｅの正面図、図９（ｂ）は平面図、図９（ｃ）は底面図、図９（ｄ）は縦断面図、図９（ｅ）は筒状ネジ部材の側面図、図１０は床板支持具１Ｅの設置状態の説明図である。これらの図に示すように、この床板支持具１Ｅは、束本体３の上端に配設した下部ロックナット７に螺合する外側螺子２６１、及び、該外側螺子２６１とは逆向きに形成された内側螺子２６２、を有する筒状ネジ部材２６と、下部が筒状ネジ部材２６の内側螺子２６２に螺合するボルト部材４と、を備え、床支持板５はボルト部材４の上端に固定されており、筒状ネジ部材２６を一方向に回動させると床支持板５が上昇し、他方向に回動させると床支持板５が降下し、かつ、下部ロックナット７を締結することにより、ボルト部材４が束本体３に対して固定されるように構成されている。
【００６２】
上述の筒状ネジ部材２６は、その下端が周方向に突出した係止部２６３を有し、この筒状ネジ部材２６を束本体３の下部開口から挿入して、係止部２６３を、束本体３の上部に形成された絞り部３３に係止させて、外側螺子２６１に下部ロックナット７を仮締結することで、筒状ネジ部材２６を束本体３の上部に回動自在な状態で配設することができる。この状態で、筒状ネジ部材２６の操作部２６ａを操作工具で（又は手で把持して）回動操作すれば、床支持板５を昇降動作させることができ、これにより、床板２の高さを調整することができる。
【００６３】
また、筒状ネジ部材２６の上端には、ボルト部材４に螺合する上部ロックナット１７がスプリングワッシャ１８を介して配設されている。従って、高さの調整が終了した時点で、両ロックナット７，１７を締結して、ボルト部材４，筒状ネジ部材１６及び束本体３を固定するのが好ましい。
【００６４】
そして、束本体３には、螺子が形成されておらず、ボルト部材４を昇降させるための筒状ネジ部材２６を束本体３の上端に配設しているので、床板支持具１Ｅの全長を短く設定することができる。従って、設置面（基礎）Ｃと床板２との間のスペースを必要最小限度の高さに設定して、建屋の高さを抑えることができる。また、構成が簡易であり、安価に提供することができる。
【００６５】
〔実施の形態６〕
図１１（ａ）は床板支持具１Ｆの正面図、図１１（ｂ）は平面図、図１１（ｃ）は底面図、図１１（ｄ）は縦断面図、図１２は床板支持具１Ｆの設置状態の説明図である。これらの図に示すように、この床板支持具１Ｆは、束本体３の上部に形成した内螺子３１に螺合するボルト部材４と、そのボルト部材４の上端に螺合する一対のナット部材７１，７２間に回動自在かつ固定可能に配設されて床板２を支持する床支持板５と、を備え、ボルト部材４を一方向に回動させると床支持板５が上昇し、他方向に回動させると床支持板５が降下するように構成されている。
【００６６】
このような構成により、両ナット部材７１，７２を締結しないで、床支持板５を回動自在な状態として、ボルト部材４を回動操作すれば、床支持板５を上下に移動させることができ、これにより、床板２の高さを調整することができる。高さ調整を終了した時点で、両ナット部材７１，７２を締結して、床支持板５を固定すればよい。
【００６７】
その束本体３は、ボルト部材４を昇降させるための内螺子３１を上部に形成しているので、床板支持具１Ｆの全長を短く設定することができる。従って、設置面（基礎）Ｃと床板２との間のスペースを必要最小限度の高さに設定して、建屋の高さを抑えることができる。また、構成が簡易であり、床板支持具１Ｆを安価に提供することができる。
【図面の簡単な説明】
【００６８】
【図１】本発明の実施の形態１に係る床板支持具の構成説明図で、（ａ）は正面図、（ｂ）は平面図、（ｃ）は底面図、（ｄ）は縦断面図である。
【図２】同床板支持具の設置状態の説明図である。
【図３】本発明の実施の形態２に係る床板支持具の構成説明図で、（ａ）は正面図、（ｂ）は平面図、（ｃ）は底面図、（ｄ）は設置状態の説明図である。
【図４】（ａ）は同床支持板を固定するためのボルトとナットの一例を示す床板支持具の縦断面図、（ｂ）はその他の例を示す床板支持具の縦断面図である。
【図５】本発明の実施の形態３に係る床板支持具の構成説明図で、（ａ）は正面図、（ｂ）は平面図、（ｃ）は底面図、（ｄ）は縦断面図である。
【図６】同床板支持具の設置状態の説明図である。
【図７】本発明の実施の形態４に係る床板支持具の構成説明図で、（ａ）は正面図、（ｂ）は平面図、（ｃ）は底面図、（ｄ）は縦断面図、（ｅ）は筒状ネジ部材の側面図である。
【図８】同床板支持具の設置状態の説明図である。
【図９】本発明の実施の形態５に係る床板支持具の構成説明図で、（ａ）は正面図、（ｂ）は平面図、（ｃ）は底面図、（ｄ）は縦断面図、（ｅ）は筒状ネジ部材の側面図である。
【図１０】同床板支持具の設置状態の説明図である。
【図１１】本発明の実施の形態６に係る床板支持具の構成説明図で、（ａ）は正面図、（ｂ）は平面図、（ｃ）は底面図、（ｄ）は縦断面図である。
【図１２】同床板支持具の設置状態の説明図である。
【図１３】従来の床板支持具の一例を示す構成説明図である。
【符号の説明】
【００６９】
１Ａ〜１Ｆ…床板支持具、２…床板、３…束本体、３ａ…座板、３１…内螺子、４…ボルト部材、４１…ボルトヘッド、５…床支持板、６，１５…ナット部材、７，１７…ロックナット、下部ロックナット、９…受け部材、１６，２６…筒状ネジ部材、１６ａ，２６ａ，４２…操作部、１６１…外側螺子、１６２…内側螺子、７１，７２…ナット部材、Ｃ…設置面  
【図１】
2005226244.tif 000003
【図２】
2005226244.tif 000004
【図３】
2005226244.tif 000005
【図４】
2005226244.tif 000006
【図５】
2005226244.tif 000007
【図６】
2005226244.tif 000008
【図７】
2005226244.tif 000009
【図８】
2005226244.tif 000010
【図９】
2005226244.tif 000011
【図１０】
2005226244.tif 000012
【図１１】
2005226244.tif 000013
【図１２】
2005226244.tif 000014
【図１３】
2005226244.tif 000015